(57)【要約】【課題】  映像の隙間を目立たなくさせ、複数の投射型表示器を使用するとそれぞれの映像の間に隙間が生じたり、映像が重なるなどの違和感を与えずに効果的にユーザに情報を伝える表示装置と表示方法を提供する。【解決手段】  複数の投写型表示器１０、２０と、スクリーン６０とを備えた表示装置１００において、複数の投写型表示器１０、２０がそれぞれ表示する表示領域Ｓ１、Ｓ２の一部をスクリーン６０に重ねて表示するものである。【選択図】図２
2013137355.tif 000002
【特許請求の範囲】
【請求項１】
複数の投写型表示器と、スクリーンとを備えた表示装置において、前記複数の投写型表示器がそれぞれ表示する表示領域の一部を前記スクリーンに重ねて表示することを特徴とする表示装置。
【請求項２】
前記表示領域を重ねて表示した部分に、前記複数の投写型表示器で各々同一の画像を表示するとともにその同一の画像を重ねて表示することを特徴とする請求項１に記載の表示装置。
【請求項３】
前記表示領域の地色が、暗色であることを特徴とする請求項１に記載の表示装置。
【請求項４】
前記同一の画像の少なくとも一方をぼかして表示したことを特徴とする請求項２に記載の表示装置。
【請求項５】
前記同一の画像の少なくとも一方を揺らして表示したことを特徴とする請求項２に記載の表示装置。
【請求項６】
前記揺らして表示する画像を上下左右に揺らしたことを特徴とする請求項５に記載の表示装置。
【請求項７】
前記揺らして表示する画像を円状に揺らしたことを特徴とする請求項５に記載の表示装置。
【請求項８】
複数の投写型表示器と、スクリーンとを備えた表示装置において、前記複数の投写型表示器がそれぞれ表示する表示領域の一部を前記スクリーンに重ねて表示することを特徴とする表示装置の表示方法。
【請求項９】
前記表示領域を重ねて表示した部分に、前記複数の投写型表示器で各々同一の画像を表示するとともにその同一の画像を重ねて表示することを特徴とする請求項８に記載の表示装置の表示方法。
【請求項１０】
前記表示領域の地色を暗色としたことを特徴とする請求項８に記載の表示装置の表示方法。
【請求項１１】
前記同一の画像の少なくとも一方をぼかして表示したことを特徴とする請求項９に記載の表示装置の表示方法。
【請求項１２】
前記同一の画像の少なくとも一方を揺らして表示したことを特徴とする請求項９に記載の表示装置の表示方法。
【請求項１３】
前記揺らして表示する画像を上下左右に揺らしたことを特徴とする請求項１２に記載の表示装置の表示方法。
【請求項１４】
前記揺らして表示する画像を円状に揺らしたことを特徴とする請求項１２に記載の表示装置の表示方法。
【発明の詳細な説明】
【技術分野】
【０００１】
本発明は、表示装置およびその表示方法に関するものである。
【背景技術】
【０００２】
従来の表示装置は、１つのスクリーンに映像を投影する投射型表示器を複数備えており、映像はスクリーンの各々の所定領域に投影される。所定領域は、横方向に並設されるかマトリクス状に配置される。（例えば、特許文献１参照）。
【先行技術文献】
【特許文献】
【０００３】
【特許文献１】特開２００６−２９０２８４号公報
【発明の概要】
【発明が解決しようとする課題】
【０００４】
しかしながら、前記表示装置では、映像の表示枠が見えてしまうので、表示品位が低くなる。特に、複数の投射型表示器を使用するとそれぞれの映像の間に隙間が生じたり、映像が重なるなどの問題点があった。
【０００５】
そこで本発明は、前記問題点を解消し、映像の隙間を目立たなくさせ、複数の投射型表示器を使用するとそれぞれの映像の間に隙間が生じたり、映像が重なるなどの違和感を与えずに効果的にユーザに情報を伝える表示装置と表示方法を提供することを目的とするものである。
【課題を解決するための手段】
【０００６】
本発明は、前記課題を解決するために、複数の投写型表示器と、スクリーンとを備えた表示装置において、前記複数の投写型表示器がそれぞれ表示する表示領域の一部を前記スクリーンに重ねて表示するものである。
【０００７】
本発明は、前記課題を解決するために、複数の投写型表示器と、スクリーンとを備えた表示装置において、前記複数の投写型表示器がそれぞれ表示する表示領域の一部を前記スクリーンに重ねて表示するものである。
【発明の効果】
【０００８】
本発明によれば、所期の目的を達成でき、映像の隙間を目立たなくさせ、複数の投射型表示器を使用するとそれぞれの映像の間に隙間が生じたり、映像が重なるなどの違和感を与えずに効果的にユーザに情報を伝える表示装置と表示方法を提供することができる。
【図面の簡単な説明】
【０００９】
【図１】本発明の実施形態である表示装置の側面図。
【図２】同実施形態の反射ミラーを省略した表示装置の概略図。
【図３】同実施形態の一方の投写型表示器の表示例を示す図。
【図４】同実施形態の他方の投写型表示器の表示例を示す図。
【図５】同実施形態の表示装置の表示例を示す図。
【発明を実施するための形態】
【００１０】
以下、図１〜図５に基づいて本発明の表示装置およびその表示方法の実施形態を説明する。
【００１１】
本発明の実施形態による表示装置１００は、車載用の表示装置１００であり、図１に示すように投射型表示器１０、２０と、反射ミラー４０、５０と、スクリーン６０とからなる。
【００１２】
投射型表示器１０、２０は、図示しない液晶表示パネル、発光素子および光学部材とを内蔵しており、表示光Ｌ１、Ｌ２（映像Ｐ１、Ｐ２）を発するものである。前記液晶表示パネルは、ドットマトリクス表示可能な素子であり、任意の映像を表示することができる。なお、投射型表示器１０、２０は、本実施形態のように、液晶表示パネルを用いるものには限定されず、表示光Ｌ１、Ｌ２を投射することができるものであればよい。
【００１３】
反射ミラー４０、５０は、本実施形態では、平面鏡であり、投射型表示器１０、２０が発した表示光Ｌ１、Ｌ２を反射させてスクリーン６０に反射させる。反射ミラー４０、５０は、本実施形態のように、平面鏡に限定されるものではなく、表示光Ｌ１、Ｌ２の拡大や縮小を行うために、凹面鏡や凸面鏡を採用してもよい。また、表示装置１００の構成によっては、反射ミラーを採用しなくともよい。
【００１４】
スクリーン６０は、透過型のスクリーンであり、背面から投射された表示光Ｌ１、Ｌ２を前面側に表示するものである。本実施形態のスクリーン６０は、黒色であり、透過率は、２０〜３０％である。スクリーン６０は、本実施形態のように、透過型のスクリーンに限定されるものではなく、前面に表示光Ｌ１、Ｌ２を投射する反射型のスクリーンであってもよい。
【００１５】
図２、図５に示すように、投射型表示器１０、２０から投影された表示光Ｌ１、Ｌ２によって、映像Ｐ１、Ｐ２をスクリーン６０に映す。このとき、各々の投射型表示器１０、２０の映像Ｐ１、Ｐ２はそれぞれの表示領域Ｓ１、Ｓ２に映し出される。表示領域Ｓ１、Ｓ２は、一部が重なっており、共通の部分を備えている。
【００１６】
本実施形態の複数の表示領域Ｓ１、Ｓ２を重ねた時の詳細を図５に示す。複数の投射型表示器１０、２０を並べて配置した場合、各々の表示領域Ｓ１、Ｓ２を部分的に重ねることで、表示領域Ｓ１、Ｓ２の間で隙間が生じることがなくなり、ユーザに表示領域Ｓ１、Ｓ２の隙間を目立たなくすることが可能となる。
【００１７】
表示領域Ｓ１の映像Ｐ１は、警告表示３１１〜３１３、車両の速度表示３２、左の方向指示３３の画像で構成されている。これらの画像３１１〜３１３、３２、３３は、前記液晶表示パネルで生成され、スクリーン６０で結像するものである。警告表示３１１〜３１３は、本実施形態では、３つ表示されている。また、表示領域Ｓ１の地色は、黒や紺色などの明度の低い暗色である。これは、表示領域Ｓ１に投影する映像Ｐ１の地色が暗色であることによって、達成できる。
【００１８】
表示領域Ｓ２の映像Ｐ２は、警告表示３４１〜３４３、車両のエンジン回転数表示３５、右の方向指示３６の画像で構成されている。これらの画像３４１〜３４３、３５、３６は、前記液晶表示パネルで生成され、スクリーン６０で結像するものである。警告表示３４１〜３４３は、本実施形態では、３つ表示されている。また、表示領域Ｓ２の地色は、黒や紺色などの明度の低い暗色である。これは、表示領域Ｓ２に投影する映像Ｐ２の地色が暗色であることによって、達成できる。
【００１９】
本実施形態では、映像Ｐ１の警告表示３１１〜３１３と、映像Ｐ２の警告表示３４１〜３４３は、同一の内容を表示する画像であり、本実施形態では、同一の画像である。例えば、画像３１１と画像３４１は、前照灯の点灯を示す画像であり、画像３１２と画像３４２は、油圧警告を示す画像であり、画像３１３と画像３４３は、ブレーキ警告を示す画像である。そして、映像Ｐ１の警告表示の画像３１１〜３１３と映像Ｐ２の警告表示の画像３４１〜３４３とを重ねて表示するものである。
【００２０】
また、もし投射型表示器１０、２０のどちらか一方に故障があった場合に、他の正常に動作する投射型表示器１０、２０で表示を補うことができる。
【００２１】
また、他の実施形態としては、投射型表示器１０で投影する映像Ｐ１の警告表示を示す画像３１１〜３１３、３２、３３は、ぼかして表示してもよい。この場合、画像３１１〜３１３、３２、３３の輪郭のみをぼかして表示している。このように表示することによって、画像を立体的に見せることができる。特に、車載機器の表示において、ぼかして表示することによって、ユーザの注意喚起を効果的に行うことができる。なお、画像３１１〜３１３、３２、３３のぼかしは、輪郭のみではなく、画像全体をぼかして表示してもよい。また、一方の投射型表示器１０で投影する映像Ｐ１のみでなく、両方の映像Ｐ１、Ｐ２の画像をぼかしてもよい。この両方の映像Ｐ１、Ｐ２の画像をぼかす場合も、映像Ｐ１、Ｐ２でぼかす程度を変えてもよい。
【００２２】
また、さらに他の本実施形態としては、投射型表示器１０で投影する映像Ｐ１の警告表示を示す画像３１１〜３１３、３２、３３は、揺らして表示してもよい。このように表示することによって、画像を立体的に見せることができる。特に、車載機器の表示において、揺らして表示することによって、ユーザの注意喚起を効果的に行うことができる。なお、画像３１１〜３１３、３２、３３を揺れ方は、上下左右に揺れてもよい。あるいは、画像を円状に揺れてもよい。
【００２３】
また、一方の投射型表示器１０で投影する映像Ｐ１のみでなく、両方の映像Ｐ１、Ｐ２の画像を揺らして表示してもよい。この両方の映像Ｐ１、Ｐ２の画像を揺らして表示する場合も、映像Ｐ１、Ｐ２で揺らす程度を変えてもよい。
【００２４】
なお、本実施形態は投射型表示器１０、２０を２個備えたものであったが、投射型表示器を３個以上であってもよい。
【産業上の利用可能性】
【００２５】
本発明は、少なくとも２つ以上の投写型表示器を備えた表示装置およびその表示方法に好適である。
【符号の説明】
【００２６】
１０、２０    照射型表示器
４０、５０    反射ミラー
６０          スクリーン
３２          速度表示の画像
３３、３６    方向指示の画像
３５          エンジン回転数表示の画像
１００          表示装置
３１１、３１２、３１３    警告表示の画像
３４１、３４２、３４３    警告表示の画像
Ｌ１、Ｌ２    表示光
Ｐ１、Ｐ２    映像
Ｓ１、Ｓ２    表示領域
【図１】
2013137355.tif 000003
【図２】
2013137355.tif 000004
【図３】
2013137355.tif 000005
【図４】
2013137355.tif 000006
【図５】
2013137355.tif 000007